(57)【要約】【課題】意匠性に富み然も洗濯業者やホテル、公共施設の従業員の負担を少なくする、新規な意匠柄を持つ織物を提供すること【解決手段】経糸又は緯糸の最大浮き本数が２本以上７本以下である織組織を基本組織とし、前記基本組織及び前記基本組織の裏組織とが交互配列させて組み合わせてなる一完全組織を有する織物であって、前記一完全組織における基本組織と基本組織の裏組織の部位の総数が８以上１２０以下である格子柄が、織物全面に配されている表裏の区別がない織物。【選択図】図１
0003111094.tif 000002
【実用新案登録請求の範囲】
【請求項１】
経糸又は緯糸の最大浮き本数が２本以上７本以下である織組織を基本組織とし、前記基本組織及び前記基本組織の裏組織とが交互配列させて組み合わせてなる一完全組織を有する織物であって、前記一完全組織における基本組織と基本組織の裏組織の部位の総数が８以上１２０以下である格子柄が、織物全面に配されていることを特徴とする表裏の区別がない織物。
【請求項２】
一完全組織において、基本組織及び基本組織の裏組織の占める面積が同一であり、一完全組織の経方向及び／又は緯方向の長さが５ｃｍ以上１５ｃｍ以下であって、一完全組織の輪郭が略正方形形状となる経糸密度及び緯糸密度を有することを特徴とする請求項１記載の表裏の区別がない織物。
【考案の詳細な説明】
【技術分野】
【０００１】
本発明は、寝装及び生活資材等の各種布製品に用いられる織物に関して、特に表裏の意匠柄の区別がなく使用が可能な織物に関する。
【背景技術】
【０００２】
ホテルや公共施設等のシーツや布団カバー、ピローケース、ベッドカバーなど寝装寝具類及びテーブルクロスやシートカバー類に供する織物として従来より綿及び綿混織物が好適に使用されている。これらのアイテムは使用された後に洗濯業者が回収して洗濯処理、アイロン掛けを施した後、再び使用に供されるという循環サイクルをたどる。
【０００３】
従来は平織、若しくはそれに刺繍等を施したもの又はジャガード開口装置等を用いて複雑な変化意匠柄を施したもの、又は捺染プリントによる意匠柄を施したもの等が主体であった。しかしながら平織で製織したものは意匠性に乏しく、刺繍を施したものやジャガード開口装置等を用いて複雑な変化意匠柄を施したもの、捺染プリントを施したもの等は表裏の区別があり、洗濯処理後のアイロン掛けの際、表裏のチェックを行なう必要があり、洗濯業者の負担が大きいものであった。またホテルや公共施設等の従業員もベッドメーキングやテーブルメーキングの際に表裏を確認しながら作業をする必要があり大変手間が掛かるものであった。
【０００４】
従来から表裏の区別のない織物の代表として昼夜市松組織などの意匠柄が知られているが、該昼夜市松組織は単純な繰返柄であり決して意匠性に富むものとは言えないし、オリジナリティーに乏しいものであった。リバーシブル織物も知られているが、上記のような用途に適用できるものではない（例えば、特許文献１参照。）。
【特許文献１】特開平６−５７５２３号公報
【考案の開示】
【考案が解決しようとする課題】
【０００５】
本考案は係る従来の問題を解決し、意匠性に富み然も洗濯業者やホテル、公共施設の従業員の負担を少なくする、新規な意匠柄を持つ織物を提供することを課題とするものであって、上記課題を解決する為に織物の基本組織と基本組織の裏組織とを、複雑ではあるが規則的に交互配列させた一完全組織を有し、従来の市松模様とは異なる意匠性に富んだ織物とするものである。また好ましくは一完全組織を略正方形形状とすることにより、本考案の織物を経方向、緯方向のいずれの使用にも対応させることが可能となり、縫製連結部を可能な限り少なくすることにより審美性を向上させるものである。
【課題を解決するための手段】
【０００６】
即ち、本考案は以下の構成よりなる。
１．  経糸又は緯糸の最大浮き本数が２本以上７本以下である織組織を基本組織とし、前記基本組織及び前記基本組織の裏組織とが交互配列させて組み合わせてなる一完全組織を有する織物であって、前記一完全組織における基本組織と基本組織の裏組織の部位の総数が８以上１２０以下である格子柄が、織物全面に配されていることを特徴とする表裏の区別がない織物。
２．  一完全組織において、基本組織及び基本組織の裏組織の占める面積が同一であり、一完全組織の経方向及び／又は緯方向の長さが５ｃｍ以上１５ｃｍ以下であって、一完全組織の輪郭が略正方形形状となる経糸密度及び緯糸密度を有することを特徴とする上記第１記載の表裏の区別がない織物。
【考案の効果】
【０００７】
本考案によれば非常に変化に富む意匠柄を有するにも係らず表裏の区別がないので洗濯業者やホテル、公共施設の従業員の負担を少なく留めることが可能となる。また、表裏の区別がない効果により生地の傷みや汚れ付着も比較的少なく留まり、従来の生地対比で商品寿命を延ばすことができる。即ち使用、回収、洗濯の循環サイクルの回数を増加させることができ、コスト面でも好ましい態様である。
【考案を実施するための最良の形態】
【０００８】
本考案の織物基本組織における経糸又は緯糸の最大浮き本数は２本以上７本以下、より好ましくは２本以上５本以下である。最大浮き本数が７本を超過するとスナッギングや糸引けを生じさせ易く、取扱性が極端に悪くなる。また最大浮き本数が２本未満、即ち１本では単なる平織りとなってしまう。織物基本組織を構成する基本組織は例えば２／１斜文など三枚綾、２／２斜文、３／１斜文、３／１破れ斜文など四枚綾、３／２斜文、４／１斜文、２・１／１・１斜文など五枚綾、５／１斜文、４／２斜文、１・３／１・１斜文など六枚綾、２飛び４／１朱子、３飛び４／１朱子、２飛び３／２朱子、３飛び３／２朱子など五枚朱子、３飛び７／１朱子など八枚朱子のような公知のものが用いられる。勿論、朱子織などは経朱子、緯朱子いずれも好ましく用いられるし、斜文織についても然りである。より好ましくは表組織と裏組織の見え方が、より異なってみえるものが好ましく、経糸と緯糸の浮き数に差があるものが更に好ましい。
【０００９】
本考案の織物は基本組織（以下、表組織ということがある）の表裏を交互配列することによって意匠柄を得るものであるが、該織物一完全組織の組織変化部位の総数が８以上１２０以下であることが好ましい。該組織変化部位の総数が８未満では単純な繰返柄にしかならず意匠性に欠け、１２０を超過する範囲では複雑になり過ぎてしまい、反って汚くみえてしまう。
【００１０】
また、本考案の織物一完全組織における表組織、裏組織の占める面積は同一であることが好ましい。いずれかの面積が多くを占めていると表裏の区別があるものとなってしまう他、製織の際の経糸張力が部位によって極端に変動しパッカリングなどの不具合を生じさせてしまう為、好ましくない。更に織物一完全組織の経方向及び／又は緯方向の長さが５ｃｍ以上１５ｃｍ以下で該織物一完全組織の輪郭が略正方形形状であることが好ましい。経方向及び／又は緯方向の長さが５ｃｍ未満では極端な小柄となってしまいインパクトに欠けてしまう。また１５ｃｍを超過する大柄では柄がはっきりし過ぎてしまい汎用性に乏しいものとなる。より好適な範囲としては６ｃｍ〜１０ｃｍ程度が好ましく使用される。略正方形形状とは、四角形の縦横の長い方の辺が他方の短い方の辺の１．３倍以下であること言い、より好ましくは１．２倍以下であり、更に好ましくは１．１５倍以下である。もちろん１．０倍（正方形）は最も好ましいものと言える。
【００１１】
また得られる意匠柄の輪郭が略正方形形状となるように経糸密度、緯糸密度を調整して製織、加工することが好ましい。商品アイテムによっては例えばダブルベッドのような織機の機巾を極端に超える巾が要求される。このような場合にも柔軟に対応できるよう経緯の寸法がほぼ同一になるような略正方形形状の組合せとすることによって縫製連結部を可能な限り少なく留めて審美性を損なわないようにすることができる。縫製連結部を少なくすれば、生地末端処理も少なく留めることができ、生地のホツレや縫製連結部による凸部も少なくなり好ましい。
【００１２】
本考案の織物に供するに好ましい繊維としては綿、レーヨン、ポリノジックなどのセルロース系繊維であるが、必要に応じてポリエステル、ポリアミドその他合成繊維等が混合されていてもよい。また紡績方法についても何ら限定されるものでなくリング精紡、ローター精紡、ＭＶＳの如き革新紡績方法、長繊維束と複合させた各種複合紡績法など公知のいずれの方法によってもよい。
【００１３】
製織方法及び開口装置についても何ら限定されるものでないが、織機としてはエアージェットルーム、レピアルーム、プロジェクタイルルームが好適である。開口装置はドビー開口装置及びジャガード開口装置が好ましく用いられる。ドビー開口対比でジャガード開口の方がより複雑な意匠柄を付与することが可能である。汎用性に富むドビー開口装置で得られる意匠柄、とりわけ広く汎用的に用いられている１６枚や２４枚ドビー開口装置を搭載した織機で製織可能な意匠柄とすると比較的安価に製織することができる。
【００１４】
本考案の織物は使用する繊維や用途に応じて漂白・晒し加工、シルケット加工、液体アンモニア加工、気相ホルムアルデヒド架橋加工、防汚や撥水など各種樹脂による機能加工、蛍光増白処理など特に制限されるものでなく、公知の染色・整理加工を施すことができる。また上記加工についても吸尽、パッドドライ、パッドスチーム、パッドドライキュア、パッドスチームキュア、スプレーなど公知の処理方法を用いることができる。
【実施例】
【００１５】
以下に本考案を実施例により説明する。
【００１６】
（実施例１）
綿コーマ紡績糸８０番単糸（７４デシテックス相当）を経糸に、綿コーマ紡績糸６０番単糸（９８デシテックス相当）を用い、組織は３／１斜文を基本組織（表組織）とした（経糸及び緯糸の最大浮き本数はいずれも３本）、図１に示す構成に製織した。ここで図１において１、３、６、８は表組織、２、４、５、７は裏組織を示し、該織物一完全組織の組織変化部位の総数は８であり、一完全組織の長さを経方向１０cm、緯方向１２cmとなるように経糸及び緯糸の本数を規定した。織物の密度は経緯それぞれ１８５本／２．５４ｃｍ、１０７本／２．５４ｃｍであった。意匠性に富み、表裏やタテヨコの区別なく使用できる生地に仕上った。
【００１７】
（実施例２）
綿コーマ紡績糸１００番単糸（５９デシテックス相当）を経糸に、綿コーマ紡績糸８０番単糸（７４デシテックス相当）を用い、組織は３／１破れ斜文を基本組織（表組織）とした（経糸及び緯糸の最大浮き本数はいずれも３本）、図２に示す構成に製織した。ここで図２において織物一完全組織の組織変化部位の総数は１０４であり、一完全組織の長さを経方向１０cm、緯方向１０cmとなるように経糸及び緯糸の本数を規定した。織物の密度は経緯それぞれ２００本／２．５４ｃｍ、１２０本／２．５４ｃｍであった。意匠性に富み、表裏やタテヨコの区別なく使用できる生地に仕上った。
【００１８】
（実施例３）
綿コーマ紡績糸６０番単糸（９８デシテックス相当）を経糸に、綿コーマ紡績糸６０番単糸（９８デシテックス相当）を用い、組織は２／２斜文を基本組織（表組織）とした（経糸及び緯糸の最大浮き本数はいずれも２本）、図３に示す構成に製織した。ここで図３において織物一完全組織の組織変化部位の総数は４０であり、一完全組織の長さを経方向９cm、緯方向１０cmとなるように経糸及び緯糸の本数を規定した。織物の密度は経緯それぞれ１７０本／２．５４ｃｍ、１０６本／２．５４ｃｍであった。意匠性に富み、表裏やタテヨコの区別なく使用できる生地に仕上った。
【００１９】
（実施例４）
綿コーマ紡績糸６０番単糸（９８デシテックス相当）を経糸に、綿コーマ紡績糸６０番単糸（９８デシテックス相当）を用い、組織は２／２斜文を基本組織（表組織）とした（経糸及び緯糸の最大浮き本数はいずれも２本）、図４に示す構成に製織した。ここで図４において織物一完全組織の組織変化部位の総数は１２であり、一完全組織の長さを経方向１２cm、緯方向１５cmとなるように経糸及び緯糸の本数を規定した。織物の密度は経緯それぞれ１７２本／２．５４ｃｍ、１０８本／２．５４ｃｍであった。意匠性に富み、表裏やタテヨコの区別なく使用できる生地に仕上った。
【００２０】
実施例１〜４で使用した図１〜図４のいずれも１６枚ドビー開口装置を用いて３／１斜文、３／１破れ斜文、２／２斜文等、四枚柄の基本組織とすると製織が可能である。
【産業上の利用可能性】
【００２１】
上記のように本考案の織物によれば複雑な意匠柄を有するにも係らず表裏の区別がない為に洗濯業者やホテル、公共施設の従業員の負担を少なく留めることが可能となる。また表裏の区別がない効果により生地の傷みや汚れ付着も比較的少なく留まり、従来の生地対比で商品寿命を延ばすことができ、コスト面でも好適なものとなる。
【図面の簡単な説明】
【００２２】
【図１】本考案の一完全組織の一態様を示す模式図である。
【図２】本考案の一完全組織の他の一態様を示す模式図である。
【図３】本考案の一完全組織の他の一態様を示す模式図である。
【図４】本考案の一完全組織の他の一態様を示す模式図である。
【符号の説明】
【００２３】
１：表組織
２：裏組織
３：表組織
４：裏組織
５：裏組織
６：表組織
７：裏組織
８：表組織
【図１】
0003111094.tif 000003
【図２】
0003111094.tif 000004
【図３】
0003111094.tif 000005
【図４】
0003111094.tif 000006